(57)【特許請求の範囲】
【請求項１】
未加工ドアパネルを、化粧部品が取り付けられる前に、乗場またはエレベータカーに据え付け可能な、化粧部品のエレベータカードアまたは乗場ドアの未加工ドアパネルへの取付方法において、該未加工ドアパネルの曲げられた縁の周囲に係止手段を設け、該化粧部品の縁に、該係止手段に前記化粧部品を固定する固定用穴を有する止め具を、該縁の一部を切断して起き上がらせて設け、結合剤を少なくとも前記化粧部品または前記未加工ドアパネルの平面に塗布し、該化粧部品の止め具を該未加工ドアパネルの係止手段へ嵌め込み、該化粧部品を該未加工ドアパネルに対して押し付けることを特徴とする化粧部品の取付方法。
【請求項２】
請求の範囲第１項記載の方法において、前記化粧部品の止め具は逃げ穴を介して垂直位置に曲げられることを特徴とする化粧部品の取付方法。
【請求項３】
請求の範囲第１項記載の方法において、接着剤塗布後にドアヘッドと前記未加工ドアパネルとの間に前記化粧部品の上縁を挿入することを特徴とする化粧部品の取付方法。
【請求項４】
請求の範囲第１項記載の方法において、前記化粧部品の止め具を前記未加工ドアパネルの縁の切取部へ押し込むことを特徴とする化粧部品の取付方法。
【請求項５】
請求の範囲第１項記載の方法において、前記化粧部品を前記未加工ドアパネルへ前記止め具に設けられた固定用穴を介して確実に固定することを特徴とする化粧部品の取付方法。
【請求項６】
請求の範囲第１項記載の方法において、前記留め具は前記化粧部品を正しい位置に固定することを特徴とする化粧部品の取付方法。
【請求項７】
設置済みの未加工ドアパネル、および該未加工ドアパネルへの取付用に設計された化粧部品を含み、前記未加工ドアパネルは、補強材、曲げられた縁および固定部材を含み、前記化粧部品は、縁および化粧部品取付用止め具部材を含む、前記化粧部品のエレベータ乗場またはシャフトの未加工ドアパネルへの取付装置において、前記止め具部材は、前記化粧部品から部分的に切断され固定用穴を備えた止め具からなり、前記固定部材は、前記未加工ドアパネルの曲げられた縁の周囲に設けられた切取部からなることを特徴とする化粧部品の取付装置。
【請求項８】
請求の範囲第７項記載の装置において、前記未加工ドアパネルは、該未加工ドアパネルの両側の縁が方形外郭に曲げられて形成された側面縁と、該未加工ドアパネルの上側の縁が曲げられて形成された縁飾りとを有し、該縁飾りは前記側面縁へねじによって取り付けられていることを特徴とする化粧部品の取付装置。
【請求項９】
請求の範囲第７項記載の装置において、前記未加工ドアパネルには補強材が設けられ、該補強材は該未加工ドアパネルの開閉ウェイトであることを特徴とする化粧部品の取付装置。
【請求項１０】
請求の範囲第７項記載の装置において、前記止め具には、曲げ抵抗を減少させる穴と、曲げ用の切欠とが設けられていることを特徴とする化粧部品の取付装置。
【発明の詳細な説明】
本発明は、エレベータカードアおよび乗場ドアを後化粧する請求の範囲第１項の前段に記載の方法と、請求の範囲第７項の前段に記載の装置とに関するものである。
既存のドアパネルの構造は、ドアパネルが工場から納入された時には既に仕上がり表面となっていなければならない。このようなドアパネルの表面は骨組み構造の一部である。ドアパネルは一般的にプラスチック箔で被覆され、設置現場への輸送の間の掻き傷から防護される。ある種のものでは、化粧材と未加工のドアパネルとを別個の部品としている。その場合、化粧材は工場で接着され、機械式継手を用いて未加工のドアパネルへ取りつけられる。ドアパネルは輸送および設置の間に損傷を受けることが多いため、プラスチック箔はエレベータが使用される直前で初めて取り外される。最も一般的な損傷の形態はドアパネル表面の掻き傷およびへこみである。しかし、その損傷は未加工のドアパネルの骨組み構造に対してはめったに影響を及ぼさず、通常はその化粧面に影響を及ぼす。ドアパネルの構造上、それらの損傷を修理する唯一の方法は新規のドアパネルを設置現場へ配送することである。これは不必要な費用を生じ、設置作業を遅らすこととなり、化粧材をそのドアが組み立てられる前の早期段階で選ぶ必要がある。
本発明は上述の従来技術の欠点を解消することを目的とする。エレベータカードアおよび乗場ドアを後化粧する本発明の方法は、請求の範囲第１項の特徴段の記載を特徴とし、本発明の他の実施例は請求の範囲のその他の請求項の記載を特徴とする。エレベータカードアおよび乗場ドアを後化粧する本発明の装置は、請求の範囲第７項の記載を特徴とする。
本発明によれば、ドアパネル、すなわち未加工ドアパネルの骨組み構造は充分に剛性に作られ、箱状の形に曲げて頭上支持梁上などに据えつける。化粧材を工場でパネルに接着することもできるが、本発明の概念はこの化粧材を後に、エレベータが使用される直前に、設置済み未加工ドアパネルを取り外すことなく骨組み構造へ接着することである。
利点：
−  傷による損傷を最少化できる。
−  化粧面をエレベータが使用される
−  直前に据えつけることができる。
−  仮のドアパネルを必要としない。
−  骨組み構造が充分に剛性となる。
−  化粧材を後で選ぶ
−  ことができる。
−  費用効果の高い方法である。
−  設置期間全体を通じて
−  未加工パネルを使用できる。
次に添付図面を参照し、いくつかの実施例を挙げて本発明を詳細に説明する。
第１ａ図、第１ｂ図、第１ｃ図および第１ｄ図は未加工ドアパネルと、化粧部品と、化粧部品および未加工ドアパネルにおける取付部とを示し、
第２ａ図、第２ｂ図、第２ｃ図、第２ｄ図および第２ｅ図は化粧部品取付工程の様々な段階を示す。
第１ａ図は未加工ドアパネル１を示し、その両側の縁２、４は曲げられて方形外郭の縁飾りを形成し、それらには穴20が設けられている。本発明のこの方式はカードアに適用することもできる。未加工ドアパネル１の上端部も曲げられて硬化縁３とされ、側面縁飾り２、４へねじ16によって接続されている。未加工ドアパネル１にはまた、補強材５を、エレベータシャフトの方向に面する側に設けている。補強材５は望ましくは未加工ドアパネル上に配され、未加工ドアパネルの縁からの距離が194mmであり、その高さは1720mmであり、幅は148mmである。補強材５は全体として溶融亜鉛被覆鋼鉄で作られている。補強材５は一般的には未加工ドアパネル１自体と同じ厚さの鋼鉄、すなわち1.25mmの厚さの鋼鉄で作られている。補強材５は未加工ドアパネルの開閉ウェイト用ガイドとしての役割を果たす。未加工ドアパネル１の縁２にはまた、３つの切取部23が設けられ、それらは未加工ドアパネルの縁２の上端部および下端部と、縁２の中央部とに配置され、それらの大きさおよび構造は必要に応じて変えることができる。各切取部23は未加工ドアパネル１の裏に配置されている。未加工ドアパネル１の縁３はフレーム17に対して密接に配される。未加工ドアパネル１の寸法は望ましくは、化粧部品６を未加工ドアパネル１上へ容易に取りつけられるように選定され、その下縁21には滑りガイド７が設けられている。
第１ｂ図は化粧部品６を示す。化粧部品は、化粧材で作られ穴９が設けられた縁飾り８を有する。縁飾り８には、耐火化粧面または普通の化粧面のいずれかを設けることができる。耐火化粧面は火災試験でより耐性のあることが証明されており、ドアが熱でたわむのを防止する。縁飾りの構造は変化させてもよい。化粧部品６を取り付けた後、衝撃押え面10がこの縁飾り８に対して取り付けられる。化粧部品６の縁12には止め具11が設けられ、これにより、化粧部品６は未加工ドアパネル１へ取り付けられる。未加工ドアパネル１にある切取部23と同数の止め具11がある。止め具11は化粧部品６の縁12から、第１ｃ図に示すように切り込みを作ることによって形成される。止め具11は化粧部品６に対して直角の位置にまで曲げられ、防護プラスチックが取り外される。使用される化粧材を１mmの電気亜鉛めっき鋼板、ステンレス鋼板、または真鍮とすることができる。
第１ｃ図は取付部として用いられる止め具11を示す。止め具は長方形の構造物であり、縁12から一部が切り離されており、曲げやすくするため一連の逃げ穴13を備えている。一連の逃げ穴13の下端部には固定用穴14がある。これは半円形のものであり、化粧部品６を未加工ドアパネル１の切取部23へ固定する役目をする。止め具の上端部にも小さな切欠部15があり、容易な取り付けを可能とする。止め具11はまた、突出するブラケットとして達成することもできるが、かかるブラケットを作ると、より多くの無駄な材料を残し、より経費がかかる。
第１ｄ図は未加工ドアパネル１において固定部品として作用する切取部23を示す。この切取部23の中には化粧部品６の止め具11が取り付けられている。未加工ドアパネル１の縁２には３つの切取部23があり、縁２のそれぞれの端部および中央部に１つの切取部23が設けられている。切取部の数は止め具11の数によって変わる。
第２ａ図、第２ｂ図、第２ｃ図、第２ｄ図および第２ｅ図は化粧部品を未加工ドアパネルに取り付ける工程の様々な段階を示す。両方の未加工ドアパネルは同じように対面しており、同一の構造である。未加工ドアパネル１へ取り付けられている衝撃押え面10は接着前に一時的に取り外す。化粧部品６は接着によって未加工ドアパネル１へ、後者が脇柱17に接触している間に取り付ける。接着剤は化粧部品６の縁飾り８のない側に塗布する。
この後、第２ｂ図に示すように、化粧部品６を、その最上縁部をヘッド19と未加工ドアパネル１との間に挿入して未加工ドアパネル１へ配設し、そこで化粧部品６を未加工ドアパネル１に押し付けて、止め具11に未加工ドアパネル１の切取部23を係合させ、切取部の数は止め具11の数に一致する。化粧部品６は止め具11内に設けられた固定用穴14によって定位置に固定する。その後、化粧部品６は手で押して定位置に正しく差し込む。
第２ｃ図において、衝撃押え面10は化粧部品６の縁飾り８の穴９に固定する。これらの穴９は未加工ドアパネルの縁２の穴20と一直線上に並んでいるため、それらの穴20へ同時に取付けることもできる。治具を用いて、対面する未加工ドアの枠柱の間隔を点検する。化粧部品６は未加工ドアパネル１よりも幾分幅広であるため、取り付けやすい。
第２ｄ図は切取部23に係合する止め具11および未加工ドアパネル１に係合する化粧部品６の縁飾り８の拡大図を示す。
第２ｅ図は化粧部品６の止め具11を切取部の中へ、圧力を矢印で示す方向にかけて挿入する方法の拡大図を示す。
本発明の様々な実施例が、上述の実施例に限定されることなく、後続の請求の範囲内で変更可能であることは、当業者にとって明らかである。
【図１ａ】
0003878219.tif 000002
【図１ｂ】
0003878219.tif 000003
【図１ｃ】
0003878219.tif 000004
【図１ｄ】
0003878219.tif 000005
【図２ａ】
0003878219.tif 000006
【図２ｂ】
0003878219.tif 000007
【図２ｃ】
0003878219.tif 000008
【図２ｄ】
0003878219.tif 000009
【図２ｅ】
0003878219.tif 000010